(57)【要約】【課題】各教育機関が学力レベルを所望レベルに維持しながら適正かつ円滑に入学者の選考を行う一方、入学希望者には余分な負担を掛けずに学力に見合った教育機関に円滑に入学させる入学者選考方法および入学者選考システムを提供する。【解決手段】統一試験の成績に基づいて、通信網２で接続された入学仲介センター１側に設けられた窓口コンピュータ４および進学希望者側に設けられる進学希望者側端末３を利用して入学者の選考をなすもので、自己採点よる入学可能教育機関の検索結果に基づく志望校への出願がなされると、募集人数に達していなければ仮合格とし、本成績が選考基準に達していれば仮合格を本合格にとしてその合格を確定するものである。【選択図】図１
2007233674.tif 000002
【特許請求の範囲】
【請求項１】
全国的な規模で実施される統一試験の成績に基づいて、通信網で接続された入学仲介センター側に設けられた窓口コンピュータおよび進学希望者側に設けられる進学希望者側端末を利用して入学者の選考をなす入学者選考方法であって、
前記端末から前記窓口コンピュータに入力された登録申請をチェックして当該登録申請に係る進学希望者を入学仲介センターに仮登録する仮登録手順と、
必要書類が充足された旨の入力に応答して当該仮登録に係る進学希望者を入学仲介センターに本登録する本登録手順と、
前記統一試験の自己採点または既に開示された正式成績による前記窓口コンピュータにおける入学可能教育機関の検索結果に基づく志望校への出願に応答して、同窓口コンピュータにより当該志望校に対する仮合否を判定する仮合否判定手順と、
前記仮合否判定手順において、本入学者選考方法に係る募集定員に達していなければ、前記窓口コンピュータにより当該志望校に対して仮合格とする仮合格手順と、
前記仮合格とされた進学希望者の前記統一試験の正式成績に基づいて、前記窓口コンピュータにより当該志望校に対する最終合否を判定する最終合否判定手順と、
前記最終合否判定手順において、正式成績が当該志望校により予め設定されている選考基準に達していれば、前記窓口コンピュータにより仮合格を本合格とする一方、正式成績が前記選考基準に達していなければ、前記窓口コンピュータにより仮合格を取り消して不合格とする合格・不合格手順
とを含んでいることを特徴とする入学者選考方法。
【請求項２】
仮合否判定および最終合否判定の判定結果が、窓口コンピュータから端末に送信する手順が付加されていることを特徴とする請求項１記載の入学者選考方法。
【請求項３】
仮合格を出願順になすことを特徴とする請求項１記載の入学者選考方法。
【請求項４】
全国的な規模で実施される統一試験の成績に基づいて、通信網で接続された入学仲介センター側に設けられた窓口コンピュータおよび進学希望者側に設けられる進学希望者側端末を利用して入学者の選考をなす入学者選考システムであって、
前記窓口コンピュータが、各教育機関から提供される選考基準を格納する選考基準格納部と、登録処理部と、登録者情報格納部と、入学合否判定部と、ホームページデータ格納部と、送受信部と、前記各部の制御をなす制御部とを備えてなることを特徴とする入学者選考システム。
【請求項５】
ホームページに、入学仲介センターの概要を説明している概要説明部と、入学仲介センターに登録するための登録部と、入学仲介センターに登録した登録者がメンバーズページにログインするためのログイン部とが設けられてなることを特徴とする請求項４記載の入学者選考システム。
【請求項６】
メンバーズページが、入学可能教育機関検索部と、出願部と、諸費用払込部とが設けられてなることを特徴とする請求項５記載の入学者選考システム。
【発明の詳細な説明】
【技術分野】
【０００１】
本発明は、入学者選考方法および入学者選考システムに関する。さらに詳しくは、大学入試センター試験のように全国規模で統一して実施される信頼性の高い学力試験を利用して、大学などの各教育機関における入学者を選考するための入学者選考方法および入学者選考システムに関する。
【背景技術】
【０００２】
従来より、全国の大学が統一された基準により入学志望者の選考を行えるように、大学入試センター試験（以下、単にセンター試験という）が実施されている。
【０００３】
センター試験は、大学入試センター（独立行政法人）により毎年実施されるものであり、各大学は、センター試験の利用を申請することにより、各志望者のセンター試験成績の提供を受け、独自に実施する試験と併用するなどして各志望者の合否を決めるようにしている。
【０００４】
一方、センター試験を受けた受験生は、自己採点により志望校を選定し、ついで各大学独自の試験を受けるなどしてその合否を仰いでいる。
【０００５】
ところが、このような従来の入試システムでは、大学への進学希望者は、センター試験成績に基づいて志望校を選定したとしても当該選定した志望校に確実に入学できるものではないため、合格の可能性のある複数の大学に願書を提出して第１志望校に合格しなかった場合の対策を講じねばならず、非常に不安定な状態におかれる。また、複数の大学に願書を提出する必要があることから、試験を何回も受けたり、余分な費用を負担させられたりするという問題も生じている。
【０００６】
また、大学側は、現行の入試制度では、合格者が全て入学する訳ではないため、定員割れを回避するよう入学を認める受験者の学力レベルにある程度余裕を持たせて合格者の選考を行わねばならず、大学の全体的な学力レベルを所望の学力レベルに維持するのに困難を伴う。すなわち、入学者数の確保と、学力レベルの維持とを両立させるのが困難であるといった問題が生じている。
【発明の開示】
【発明が解決しようとする課題】
【０００７】
本発明はかかる従来技術の課題に鑑みなされたものであって、全国規模で行われる信頼性の高い学力試験を利用して、各教育機関が学力レベルを所望レベルに維持しながら適正かつ円滑に入学者の選考を行い得るようにするとともに、入学希望者には余分な負担を掛けずに学力に見合った教育機関に円滑に入学できるようにする入学者選考方法および入学者選考システムを提供することを目的としている。
【課題を解決するための手段】
【０００８】
本発明の入学者選考方法は、全国的な規模で実施される統一試験の成績に基づいて、通信網で接続された入学仲介センター側に設けられた窓口コンピュータおよび進学希望者側に設けられる進学希望者側端末を利用して入学者の選考をなす入学者選考方法であって、
前記端末から前記窓口コンピュータに入力された登録申請をチェックして当該登録申請に係る進学希望者を入学仲介センターに仮登録する仮登録手順と、
必要書類が充足された旨の入力に応答して当該仮登録に係る進学希望者を入学仲介センターに本登録する本登録手順と、
前記統一試験の自己採点または既に開示された正式成績による前記窓口コンピュータにおける入学可能教育機関の検索結果に基づく志望校への出願に応答して、同窓口コンピュータにより当該志望校に対する仮合否を判定する仮合否判定手順と、
前記仮合否判定手順において、本入学者選考方法に係る募集定員に達していなければ、前記窓口コンピュータにより当該志望校に対して仮合格とする仮合格手順と、
前記仮合格とされた進学希望者の前記統一試験の正式成績に基づいて、前記窓口コンピュータにより当該志望校に対する最終合否を判定する最終合否判定手順と、
前記最終合否判定手順において、正式成績が当該志望校により予め設定されている選考基準に達していれば、前記窓口コンピュータにより仮合格を本合格とする一方、正式成績が前記選考基準に達していなければ、前記窓口コンピュータにより仮合格を取り消して不合格とする合格・不合格手順
とを含んでいることを特徴とする。
【０００９】
本発明の入学者選考方法においては、仮合否判定および最終合否判定の判定結果が、窓口コンピュータから端末に送信する手順が付加されているのが好ましい。
【００１０】
また、本発明の入学者選考方法においては、仮合格を出願順になすのが好ましい。
【００１１】
一方、本発明の入学者選考システムは、全国的な規模で実施される統一試験の成績に基づいて、通信網で接続された入学仲介センター側に設けられた窓口コンピュータおよび進学希望者側に設けられる進学希望者側端末を利用して入学者の選考をなす入学者選考システムであって、前記窓口コンピュータが、各教育機関から提供される選考基準を格納する選考基準格納部と、登録処理部と、登録者情報格納部と、入学合否判定部と、ホームページデータ格納部と、送受信部と、前記各部の制御をなす制御部とを備えてなることを特徴とする。
【００１２】
本発明の入学者選考システムにおいては、ホームページに、入学仲介センターの概要を説明している概要説明部と、入学仲介センターに登録するための登録部と、入学仲介センターに登録した登録者がメンバーズページにログインするためのログイン部とが設けられてなるのが好ましい。
【００１３】
また、本発明の入学者選考システムにおいては、メンバーズページが、入学可能教育機関検索部と、出願部と、諸費用払込部とが設けられてなるのが好ましい。
【発明の効果】
【００１４】
本発明は、前記の如く構成されているので、進学希望者には志望校に対する速やかなる合格通知がなし得る一方、大学などの教育機関においては、所望の学力レベルの学生を必要人数確保できるという優れた効果が得られる。
【発明を実施するための最良の形態】
【００１５】
以下、添付図面を参照しながら本発明を実施形態に基づいて説明するが、本発明はかかる実施形態のみに限定されるものではない。
【００１６】
図１に本発明の一実施形態に係る入学者選考方法が適用されてなる入学者選考システムの概略構成を機能ブロック図により示す。
【００１７】
入学者選考システムＵは、図１に示すように、入学仲介センター１と、インターネットなどの大規模通信網（以下、単に通信網という）２に接続された進学希望者の自宅、高校、予備校などに設置されているパソコンなどからなる各進学希望者側端末（以下、単に端末という）３と、を主要構成要素として備えてなるものとされ、大学入試センター試験などの全国規模で行われる信頼性の高い学力試験（以下、統一試験という）を利用して、入学仲介センター１と業務提携をした大学５，５，５，・・・などの各教育機関が入学者の選考を所望の学力レベルに維持しながら適正、かつ、円滑に行えるようにするシステムとされている。
【００１８】
ここで、入学仲介センター１は、通信網２に接続された窓口コンピュータ４を有しており、窓口コンピュータ４は通信網２を介して各端末３と接続されて、以下のような入学仲介業務に関連する各種処理を行うものとされる。また、図示はされていないが、大学５などの教育機関に設置されたコンピュータも、通信網２を介して窓口コンピュータ４と接続可能とされている。
【００１９】
図２に、窓口コンピュータ４の概略構成を示す。窓口コンピュータ４は、各教育機関が予め設定した入学者の選考基準を格納したデータベースである選考基準格納部１１と、所定の手続により進学希望者の登録を行う登録処理部１２と、登録された進学希望者（以下、登録者ともいう）に関する情報を格納したデータベースである登録者情報格納部１３と、前記選考基準を用いて、登録者が志望する教育機関への入学の合否を判定する入学合否判定部１４と、入学仲介センター１が主催するホームページのデータ（以下、ホームページデータともいう）を格納するホームページデータ格納部１５と、ホームページデータ格納部１５に格納されたデータや各種メッセージの送受信を行う送受信部１６と、これら各部の動作を統括的に制御する制御部１７とを主要部として備えてなる。
【００２０】
ここで、選考基準格納部１１に格納される選考基準は、各教育機関が入学の仲介を希望する学部および学科（工学部機械工学科など、以下、学部・学科と表記する）を指定し、指定した学部・学科への入学を認めるべき統一試験の成績と、本システムによる募集人数に定めがある場合にはその定員と、制御部１７により随時更新される残り人数とを内容とするものとされる。例えば、Ａ教科（科目）が何点以上、あるいはＡ教科（科目）とＢ教科（科目）の合計が何点以上、またはＡ教科（科目）が何点以上、Ｂ教科（科目）が何点以上かつその合計が何点以上、人数に制限なし、定員何名、残り人数何名、というように設定される。なお、残り人数は、入学者（仮合格者）が決まり次第逐次更新されていく。
【００２１】
また、登録者情報格納部１３に格納される登録者情報は、登録者を識別するための情報（氏名、所属または卒業学校名、住所など。以下、識別情報という）と、登録者の統一試験の成績に関する情報（以下、成績情報という）と、登録者が出願した教育機関に関する情報（以下、出願情報という）とを含む。
【００２２】
なお、統一試験として例えば大学入試センター試験を利用する場合には、制度の改正を前提として、入学仲介センター１が大学入試センターから直接に登録者のセンター試験成績（認証成績、以下正式成績という）の提供を受けるものとするのが好ましい。現行の制度に従う場合には、登録者が後掲の手順で出願した大学を介して当該登録者の正式成績の提供を受けるものとされる。
【００２３】
次に、ホームページデータ格納部１５に格納されたホームページデータに基づき端末３の表示装置（不図示である）に表示されるホームページを説明する。
【００２４】
図３に、そのようなホームページの一例を示す。
【００２５】
このホームページ２０は、端末３からのホームページデータの送信要求に応じて、制御部１７が、ホームページデータ格納部１５に格納されたホームページデータを読み出して送受信部１６により通信網２を介して端末３に送信し、ホームページデータを受信した端末３が当該データを用いて表示装置（不図示である）により表示するものとされる。
【００２６】
ホームページ２０は、入学仲介センター１が行う入学仲介業務の概要の説明が表示される概要説明部２１と、入学仲介センター１の仲介により各教育機関に入学しようとする進学希望者が自らを入学仲介センター１に登録するための所定の操作を行う登録部２２と、登録した進学希望者（登録者）がログインするための操作を行うログイン部２３とを含む。
【００２７】
ここで、登録部２２にて行われる操作は、進学希望者が登録を受けるのに必要な情報（以下、登録情報という）を入力する操作と、登録の意思表示を行う操作とを含む。すなわち、登録部２２には、入学仲介センター１の主催者が予め作成する約款が表示され、それに同意した進学希望者は、約款に同意する旨の操作と、登録情報を入力し、入力された情報を送信する操作とを行うことによって、登録の意思表示を行うものとされる。
【００２８】
また、このとき同時に進学希望者は、登録部２２において、後掲の諸費用払込部３３（図４参照）による諸費用の払い込みを可能とするように、クレジットカードの認証、または提携オンライン金融機関を利用したオンライン取引（振り込みなど）の利用申込手続を行う。
【００２９】
登録部２２にて登録される登録情報には、進学希望者の住所・居所、氏名、連絡先・Ｅメールアドレス、生年月日、出身または在籍高校、高校卒業（予定）年度、といった情報が含まれる。
【００３０】
登録部２２により登録情報が入力され、入力された登録情報が通信網２を介して入学仲介センター１に送信されると、窓口コンピュータ４の制御部１７は、送受信部１６を用いて登録情報を受信し、受信した登録情報を登録処理部１２に送る。
【００３１】
登録処理部１２は、受信した登録情報をチェックして形式上の不備がなければ当該進学希望者を登録（仮登録）したものとして識別番号の発番を行うとともに、受信した登録情報を登録者情報格納部１３に格納し、当該進学希望者に対して、送受信部１６を用いて例えばＥメールにより、仮登録がなされた旨および発番された識別番号を通知するとともに、本人確認のための証明書類の送付など、本人確認に必要とされる行為を指示するメッセージを端末３に送信する。
【００３２】
ここで、統一試験として大学入試センター試験を利用する場合は、各受験者に交付される成績請求票を受験を予定している教育機関の数だけ入学仲介センター１に郵送するものとして、登録者の本人確認とすることができる。また、これにより、後掲の入学合否判定部１４による最終的な合否判定を迅速に行うことが可能となる。この場合、請求票番号は登録情報として登録者情報格納部１３に格納される。
【００３３】
しかして、そのようなメッセージを端末３を介して受け取った進学希望者は指示された行為（成績請求票の郵送など）を行い、それを受領した入学仲介センター１の主催者は書類などの確認をして、不備などの問題点がなければ、当該進学希望者を正式に登録したものとして、登録（本登録）がなされた旨を通知するとともに、当該進学希望者が後掲のメンバーズページ３０にログインするのに必要とされる情報（ログインパスワードなど）を例えば郵送にて通知する。不備が修復不能であれば仮登録を抹消する一方、不備が修復可能であれば、その不備が解消された後に本登録する。
【００３４】
なお、入学仲介センター１により仲介手数料の支払い要求がなされる場合には、クレジットカードなどによる仲介手数料の支払いが確認されてから本登録がなされる。
【００３５】
図４に、ログイン部２３の操作によりログインした登録者の端末３に表示されるメンバーズページ３０の一例を示す。
【００３６】
図４に示すように、メンバーズページ３０は、進学希望者が入学の可能な教育機関を自ら検索するための入学可能教育機関検索部３１と、検索結果に基づいて進学希望者が志望の教育機関（以下、志望校ともいう）への出願を行う出願部３２と、受験料、入学金、その他の費用を払い込むための操作を行う諸費用払込部３３とを含む。
【００３７】
ここで、入学可能教育機関検索部３１による入学可能教育機関の検索は、進学希望者が、入学可能教育機関検索部３１に自己の統一試験成績を入力して行うものとされる。このとき、進学希望者が入力する統一試験成績は、例えば大学入試センター試験であれば、試験場から持ち帰った試験結果の写しを自己採点したものなどとされる。ここで、自己採点を用いるのは、その精度が高いことによる。
【００３８】
なお、開示時期を早めるなどの制度的な改正がなされれば、所定の手続きにより大学入試センターから受け取ったセンター試験成績（正式成績）の本人開示によるものとしてもよい。
【００３９】
また、入学可能教育機関検索部３１は、統一試験の成績が入力され検索実行が指示されると、選考基準格納部１１に格納された各教育機関の選考基準を参照して、当該進学希望者が入学することができる教育機関およびその学部・学科のリストを検索結果として表示する。
【００４０】
入学可能教育機関検索部３１による検索結果を参照するなどして入学先（学部・学科を含む）を決定した登録者は、出願部３２にて、前記決定した入学先の教育機関名および学部・学科の名称を入力し、当該志望校に出願する旨の申込を行うとともに、諸費用払込部３３にて受験料を払い込むための操作を行う。
【００４１】
ここで、学部・学科の名称などの入力は、前記入学可能教育機関検索部３１による検索結果として表示される教育機関およびその学部・学科のリストから選択する方式とするのが好ましい。
【００４２】
また、諸費用払込部３３における受験料の払い込みは、前述したように、クレジットカードを利用してなされたり、提携したオンライン金融機関（各ネット銀行や各都市銀行のオンライン取引など）に登録者が開設した口座からの振り込みによるなされたりする。
【００４３】
出願部３２にて入力された志望校、学部・学科名は入学申込のメッセージとともに通信網２を介して窓口コンピュータ４に送信される。送信された志望校名などは制御部１７により送受信部１６を用いて受信され、出願情報として登録者情報格納部１３に格納されるとともに、入学合否判定部１４に転送される。
【００４４】
入学合否判定部１４は、受験料払込の確認がなされた後、本システムによる募集人数に制限がなければ無条件に、募集人数に制限があれば残り人数が値ゼロでないことを条件として当該登録者を合格（仮合格）したものと判定し、その旨のメッセージを送受信部１６を用いて当該登録者の端末３に送信する。
【００４５】
制御部１７は、入学合否判定部１４により合格（仮合格）とされた登録者について、出願した教育機関に合格（仮合格）した旨を出願情報として登録者情報格納部１３に格納するとともに、選考基準格納部１１における当該教育機関の残り人数の更新、つまり残り人数を１名減らす処理を行う。
【００４６】
同時に、入学仲介センター１は、統一試験が大学入試センター試験であれば、当該登録者から受け取った成績請求票を直接、または出願先の大学を介して大学入試センターに提出し、当該登録者の成績提供を受ける。
【００４７】
当該登録者の統一試験における試験実施者からの成績、つまり正式成績が入手されると、入手された正式成績が登録者情報格納部１３に成績情報として格納されるとともに、当該登録者の出願情報および正式成績情報と、出願対象となっている教育機関の選考基準格納部１１からの選考基準とが入学合否判定部１４に読み出され、入学合否判定部１４により当該出願について最終的な合否判定が行われる。
【００４８】
ここで、入学合否判定部１４は、当該登録者の正式成績が選考基準に達していれば当該登録者を合格（本合格）とする一方、正式成績が選考基準に達していなければ、仮合格を取り消して不合格とする。
【００４９】
制御部１７は、入学合否判定部１４により不合格とされた仮合格者については送受信部１６を用いてその旨のメッセージを当該登録者の端末３に送信するとともに、当該登録者の出願情報の更新（合格の取消）、および出願先の教育機関の選考基準の更新（残り人数の１名復活）を行う。一方、本合格者についてはその旨の通知と必要に応じて各種書類などの送付を当該登録者の端末３に指示するとともに、諸費用払込部３３により入学金その他の必要費用の払込を当該登録者の端末３に指示する一方、出願対象の教育機関に対しては合格した登録者の登録者情報と、当該登録者が合格した旨および当該登録者に対して必要書類の送付を行うよう指示する通知を行う。
【００５０】
次に、かかる構成とされた入学者選考システムＵによる入学者の選考手順の概略について説明する。
【００５１】
手順１：進学希望者により入学仲介センター１への登録申請がなされる。（この登録申請は、端末３から窓口コンピュータ４に対してなされる。）
【００５２】
手順２：申請に形式上の不備などの問題がなければ、前記登録申請に対する入学仲介センター１により進学希望者の登録（仮登録）および識別番号の付与がなされ、進学希望者にその旨の通知、および必要書類（例えば、成績請求票）の提出要求がなされる。（これらの通知および提出要求は、窓口コンピュータ４から端末３に対してなされる。）
【００５３】
手順３：進学希望者により必要書類が入学仲介センター１へ例えば郵送により送付される。
【００５４】
手順４：入学仲介センター１により必要書類の確認がなされる。
【００５５】
手順５：必要書類に不備などの問題がなければ、入学仲介センター１により進学希望者の登録（本登録）がなされ、その旨の通知がなされる。（この通知は、窓口コンピュータ４から端末３に対してなされる。）また、メンバーズページにログインするために必要な情報が進学希望者（登録者）に例えば郵送により通知される。
【００５６】
手順６：登録者により統一試験の受験がなされるとともに、その自己採点がなされる。
【００５７】
手順７：各教育機関により指定された期間内において、登録者により自己採点に基づいて合格可能な教育機関の検索がなされる。（この検索は、端末３により入学仲介センター１のホームページにログインしてなされる。具体的には、入学可能教育機関検索部３１において検索することによりなされる。）
手順８：登録者により合格可能な教育機関の中から一つまたは複数の志望校の選択がなされる。
【００５８】
手順９：登録者により志望校への出願がなされる。（この出願は、端末３により入学仲介センター１のホームページにログインしてなされる。具体的には、出願部３２にて志望校を入力するとともに、諸費用払込部３３により受験料を払い込むことによりなされる。）
【００５９】
手順１０：入学仲介センター１は、受験料払込の確認がなされると、募集人数に達していなければ、登録者を当該志望校に合格（仮合格）したとし、その旨を当該登録者に通知する一方、募集人数に達していれば、不合格になったとし、その旨を当該登録者に通知する。（この仮合格および不合格の判定は、入学合否判定部１４によりなされる。また、仮合格または不合格の通知は、窓口コンピュータ４から端末３に対してなされる。）この場合、いわゆる専願を条件にに仮合格とするようにしてもよい。
【００６０】
手順１１：入学仲介センター１は、仮合格者の正式成績を入手後、当該正式成績が当該志望校の選考基準に到達しているか否かを判定し、選考基準に達していれば、仮合格を本合格に変更する一方、選考基準に達していなければ、仮合格を取り消して不合格とする。（この本合格および不合格の判定は、入学合否判定部１４によりなされる。また、本合格または不合格の通知は、窓口コンピュータ４から端末３に対してなされる。）
【００６１】
これにより、本システムによる選考が終了する。
【００６２】
しかして、本合格の通知を受けた登録者は、実際に入学を行う教育機関に対して入学手続きを行う。すなわち、必要書類の提出および入学金・授業料などの支払いを行う。
【００６３】
このように、実施形態の入学者選考システムＵにおいては、大学入試センター試験などの統一試験の正式成績が、各教育機関の定める選考基準に達している場合には、募集人数に制限がなければ無条件に、募集人数に制限があれば先着順に、当該進学希望者の志望校への合否を決めるものとされている。
【００６４】
これにより、各教育機関は、所望の学力レベルの進学希望者を円滑に選考して入学させることができ、当該教育機関の全体的な学力レベルを保ちながらより所望人数の入学者を確保することができる一方、進学希望者は、自己の統一試験の自己採点による成績を用いて、各教育機関の定める選考基準により入学可能な教育機関を検索し、その検索結果により決定した志望校に出願することにより、原則的に合格（仮合格）することができ、また正式成績が各教育機関の定める選考基準に達していれば、自動的に当該教育機関における合格を確定することができる。つまり、本合格することができる。
【００６５】
したがって、進学希望者が合格の決まらない不安定な状態に置かれる期間も短く、滑り止めに複数校の受験をするなどの無用の負担を免れることができる。
【００６６】
すなわち、実施形態の入学者選考システムＵによれば、統一試験を各教育機関に入学するための資格試験のように利用して、競争試験としてのみ行われていた従来の入試システムの弊害を解消することができる。
【産業上の利用可能性】
【００６７】
本発明は、受験産業に適用できる。
【図面の簡単な説明】
【００６８】
【図１】本発明の一実施形態に係る入学者選考支援システムの概略図である。
【図２】入学仲介センターに設置される窓口コンピュータの概略図である。
【図３】入学仲介センターが主催するホームページの概略図である。
【図４】入学仲介センターに登録した進学希望者が入学仲介サービスを受けるためのメンバーズページの概略図である。
【符号の説明】
【００６９】
Ｕ    入学者選考支援システム
１    入学仲介センター
２    通信網
３    端末
４    窓口コンピュータ
５    大学
１１    選考基準格納部
１２    登録処理部
１３    登録者情報格納部
１４    入学合否判定部
１５    ホームページデータ格納部
１６    送受信部
１７    制御部
２０    ホームページ
３０    メンバーズページ
【図１】
2007233674.tif 000003
【図２】
2007233674.tif 000004
【図３】
2007233674.tif 000005
【図４】
2007233674.tif 000006